(57)【要約】      （修正有）【課題】表面シートの肌触りを良好にしつつ、吸収性能を向上させることが可能な吸収性物品を提供する。【解決手段】吸収性物品において、表面シート２は、保水性繊維を含む第１繊維層２ａと、第１繊維層の非肌側に隣接し、疎水性繊維と保水性繊維とを含む第２繊維層２ｂと、を備える。第１繊維層の肌側の表面は、表面シートの肌側の表面を構成する。第１繊維層を構成する繊維のうちの保水性繊維の割合は、第２繊維層を構成する繊維のうちの保水性繊維の割合よりも多い。第２繊維層の保水性繊維の平均繊維長は、第１繊維層の保水性繊維の平均繊維長よりも短い。【選択図】図２
2020039842.tif 000002
【特許請求の範囲】
【請求項１】
表面シートと、裏面シートと、前記表面シートと前記裏面シートとの間に位置する吸収体とを備える吸収性物品であって、
前記表面シートは、
保水性繊維を含む第１繊維層と、
前記第１繊維層の非肌側に隣接し、疎水性繊維と保水性繊維とを含む第２繊維層と、
を備え、
前記第１繊維層の肌側の表面は、前記表面シートの肌側の表面を構成し、
前記第２繊維層の非肌側の表面は、前記表面シートの非肌側の表面を構成し、
前記第１繊維層を構成する繊維のうちの前記保水性繊維の割合は、前記第２繊維層を構成する繊維のうちの前記保水性繊維の割合よりも多く、
前記第２繊維層の繊維間の平均距離は、前記第１繊維層の繊維間の平均距離よりも短い、
吸収性物品。
【請求項２】
表面シートと、裏面シートと、前記表面シートと前記裏面シートとの間に位置する吸収体とを備える吸収性物品であって、
前記表面シートは、
保水性繊維を含む第１繊維層と、
前記第１繊維層の非肌側に隣接し、疎水性繊維と保水性繊維とを含む第２繊維層と、
を備え、
前記第１繊維層の肌側の表面は、前記表面シートの肌側の表面を構成し、
前記第２繊維層の非肌側の表面は、前記表面シートの非肌側の表面を構成し、
前記第１繊維層を構成する繊維のうちの前記保水性繊維の割合は、前記第２繊維層を構成する繊維のうちの前記保水性繊維の割合よりも多く、
前記第１繊維層の繊維密度は、前記第２繊維層の繊維密度よりも小さい、
吸収性物品。
【請求項３】
前記表面シートと前記吸収体との間に、前記第２繊維層の繊維密度よりも高い繊維密度を有する補助シートを更に備える、
請求項２に記載の吸収性物品。
【請求項４】
前記第２繊維層に含まれる前記疎水性繊維は、互いに熱融着している熱融着性繊維を含む、
請求項１乃至３のいずれか一項に記載の吸収性物品。
【請求項５】
前記第２繊維層の前記熱融着性繊維の少なくとも一部は、前記第１繊維層の肌側の表面に露出している、
請求項４に記載の吸収性物品。
【請求項６】
前記吸収性物品の厚さ方向に、前記表面シートと前記吸収体とが圧縮された圧搾部を有し、
前記第２繊維層の前記熱融着性繊維の少なくとも一部は、前記圧搾部の内側の表面に露出している、
請求項４又は５に記載の吸収性物品。
【請求項７】
前記圧搾部は、
前記吸収性物品の厚さ方向の深さが浅い低密度部と、
前記吸収性物品の厚さ方向の深さが深い高密度部と、
を含み、
前記第２繊維層の前記熱融着性繊維の少なくとも一部は、前記低密度部の表面に露出している、
請求項６に記載の吸収性物品。
【請求項８】
前記表面シートは、
前記吸収性物品の長手方向に沿って延び、前記吸収性物品の幅方向に間隔を空けて位置する複数の凸部と、
前記吸収性物品の長手方向に沿って延び、互いに隣接する凸部間に位置する複数の凹部と、
を有し、
前記表面シートにおいて、前記凸部の頂部の繊維密度をＳ１、前記凹部の底部の繊維密度をＳ２、及び、前記凸部の頂部と前記凹部の底部との間の領域の繊維密度をＳ３、としたとき、Ｓ１＜Ｓ３＜Ｓ２、である、
請求項１乃至７のいずれか一項に記載の吸収性物品。
【請求項９】
前記表面シートは、前記複数の凹部の各々において、前記吸収性物品の厚さ方向に、前記第１繊維層から前記第２繊維層に向かって圧縮された複数の窪み部を有する、
請求項８に記載の吸収性物品。
【請求項１０】
前記第２繊維層の前記疎水性繊維の平均繊維長は、前記第１繊維層及び第２繊維層の前記保水性繊維の平均繊維長よりも長い、
請求項１乃至９のいずれか一項に記載の吸収性物品。
【請求項１１】
前記表面シートに含まれる前記保水性繊維はセルロース系繊維であり、
前記吸収体はセルロース系繊維を含み、
前記表面シートに含まれる前記セルロース系繊維の一部は、前記吸収体に含まれる前記セルロース繊維と接触している、
請求項１乃至１０のいずれか一項に記載の吸収性物品。
【請求項１２】
前記表面シートを構成する繊維は、前記表面シートの幅方向の両端部の方が、前記表面シートの幅方向の中央部よりも、前記表面シートの長手方向に配向している、
請求項１乃至１１のいずれか一項に記載の吸収性物品。
【請求項１３】
前記表面シートに含まれる前記保水性繊維はコットンである、
請求項１乃至１２のいずれか一項に記載の吸収性物品。
【請求項１４】
前記表面シートと前記吸収体との間に位置する補助シートを更に備え、
前記表面シートの前記幅方向の寸法は、前記補助シートの前記幅方向の寸法よりも小さい、
請求項１乃至１３のいずれか一項に記載の吸収性物品。
【発明の詳細な説明】
【技術分野】
【０００１】
本発明は、吸収性物品に関する。
【背景技術】
【０００２】
吸収性物品の表面シートとして、コットン繊維のような水分を吸収し、保持する保水性繊維を含むシートが知られている。例えば特許文献１には、表面シートとして用いられる、コットン繊維を含む繊維シートが開示されている。この繊維シートは、コットン繊維層と合成繊維の不織布とを含み、コットン繊維層が不織布に一部入り込んだ状態で形成されている。
【０００３】
一般に、コットン繊維のような保水性繊維は、良好な肌触りを有するため、肌に接する下着などに好適に用いられている。しかし、コットン繊維は高い保水性を有するため、コットン繊維を含むシートを吸収性物品の表面シートとして使用する場合、その表面シートは着用者から排泄される液状の排泄物（液状排泄物）を吸収し、保持して、湿った状態を維持してしまう可能性がある。そうなると、着用者は、濡れて湿った表面シートに接触し続けることになるため、不快感を覚えるおそれがある。すなわち、コットン繊維を含むシートを表面シートに用いる場合、ドライ性が低いという課題が存在している。
【０００４】
特許文献１の記載によれば、特許文献１に開示されたコットン繊維を含む繊維シートは以下の特性を有するとされている。繊維シートでは、コットン繊維層が厚さ方向に不織布の内部に入り込んでいるので、コットン繊維層から繊維シートの厚さ方向の中央部に向かって繊維量が漸次多くなり、すなわち繊維間距離が漸次小さくなる。その結果、コットン繊維層から繊維シートの厚さ方向の中央部に向かって毛管力が漸次高くなり、コットン繊維層からシート内部への液の引き込み性が高くなる。したがって、繊維シートの表面のドライ性を高めることができる。
【先行技術文献】
【特許文献】
【０００５】
【特許文献１】特開２００４−３２４０３８号公報
【発明の概要】
【発明が解決しようとする課題】
【０００６】
しかし、特許文献１のコットン繊維を含む繊維シートは以下の課題を有している。繊維シートにおける厚さ方向の中央部を挟んでコットン繊維層と反対側に位置する合成繊維の層は、合成繊維のみの層である。したがって、繊維シートの厚さ方向の中央部から合成繊維の層に向かって繊維量が漸次少なくなる、すなわち繊維間距離が漸次大きくなる。その結果、繊維シートの厚さ方向の中央部から合成繊維の層に向かって毛管力が漸次低くなる。そうなると、繊維シートは、コットン繊維層側から吸収した液体を、繊維シートの厚さ方向の中央部まで引き込むことはできるが、合成繊維の層側へ移行させ難くなる。そのため、繊維シートを吸収性物品の表面シートとして使用する場合、表面シートは着用者から排泄される液状排泄物をコットン繊維層から厚さ方向の中央部まで引き込むことはできるが、厚さ方向の中央部から合成繊維の層へ移行させ難くなる。すなわち、液状排泄物が表面シートから吸収体へ移行し難くなり、吸収性物品の吸収性能が低下する、例えば吸収速度が低下したり、吸収量が低下したりするおそれがある。
【０００７】
本発明の目的は、表面シートの肌触りを良好にしつつ、吸収性能を向上させることが可能な吸収性物品を提供する。
【課題を解決するための手段】
【０００８】
本発明の吸収性物品は次のとおりである。（１）表面シートと、裏面シートと、前記表面シートと前記裏面シートとの間に位置する吸収体とを備える吸収性物品であって、前記表面シートは、保水性繊維を含む第１繊維層と、前記第１繊維層の非肌側に隣接し、疎水性繊維と保水性繊維とを含む第２繊維層と、を備え、前記第１繊維層の肌側の表面は、前記表面シートの肌側の表面を構成し、前記第２繊維層の非肌側の表面は、前記表面シートの非肌側の表面を構成し、前記第１繊維層を構成する繊維のうちの前記保水性繊維の割合は、前記第２繊維層を構成する繊維のうちの前記保水性繊維の割合よりも多く、前記第２繊維層の前記保水性繊維の平均繊維長は、前記第１繊維層の前記保水性繊維の平均繊維長よりも短い、吸収性物品。
【０００９】
本吸収性物品では、表面シートの肌側に位置する第１繊維層における保水性繊維の割合が相対的に高いため、表面シートの肌触りを良好にすることができる。また、第１繊維層に含まれる保水性繊維の平均繊維長が相対的に長いため、平均繊維長が短過ぎて繊維同士の交絡が不足してしまい毛羽が発生するという事態を抑制でき、表面シートの肌触りの低下を抑制できる。
そのとき、第１繊維層に含まれる保水性繊維の平均繊維長よりも、第２繊維層に含まれる保水性繊維の平均繊維長が短いため、第２繊維層を構成する繊維を互いにより接近させることができる。よって、第２繊維層の繊維間の平均距離を第１繊維層の繊維間の平均距離と比較して短くできるので、第２繊維層において毛細管現象をより強く生じさせることができ、第１繊維層の肌側の表面に排泄された液状排泄物を第２繊維層へ素早く引き込むことができる。そして、第２繊維層に引き込まれた液状排泄物を、疎水性繊維により第２繊維層を介して吸収体へ迅速に移行させることができる。
その際、第１繊維層において、平均繊維長が相対的に長い保水性繊維により液状排泄物を平面方向に広く拡散させつつ、第２繊維層へ引き込むことができる。それにより、表面シートで平面方向に広く拡散された液状排泄物を、吸収体における平面方向に広い領域で吸収することができるので、吸収性能を高めることができる。
これにより表面シートの肌触りを良好にしつつ、吸収性能を向上させることができる。
【００１０】
本発明の吸収性物品では、（２）表面シートと、裏面シートと、前記表面シートと前記裏面シートとの間に位置する吸収体とを備える吸収性物品であって、前記表面シートは、保水性繊維を含む第１繊維層と、前記第１繊維層の非肌側に隣接し、疎水性繊維と保水性繊維とを含む第２繊維層と、を備え、前記第１繊維層の肌側の表面は、前記表面シートの肌側の表面を構成し、前記第２繊維層の非肌側の表面は、前記表面シートの非肌側の表面を構成し、前記第１繊維層を構成する繊維のうちの前記保水性繊維の割合は、前記第２繊維層を構成する繊維のうちの前記保水性繊維の割合よりも多く、前記第１繊維層の繊維密度は、前記第２繊維層の繊維密度よりも小さい、吸収性物品、であってもよい。ここで、繊維密度は、繊維本数の密度とする。
【００１１】
本吸収性物品では、表面シートの肌側に位置する第１繊維層における保水性繊維の割合が相対的に高いため、表面シートの肌触りを良好にすることができる。
そのとき、前記第２繊維層の繊維密度が第１繊維層の繊維密度よりも高いので、第２繊維層を構成する繊維を互いにより接近させることができる。よって、第２繊維層の繊維間の平均距離を第１繊維層の繊維間の平均距離と比較して短くできるので、第２繊維層において毛細管現象をより強く生じさせることができ、第１繊維層の肌側の表面に排泄された液状排泄物を第２繊維層へ素早く引き込むことができる。そして、第２繊維層に引き込まれた液状排泄物を、疎水性繊維により第２繊維層を介して吸収体へ迅速に移行させることができる。
その際、第１繊維層において、保水性繊維により液状排泄物を平面方向に広く拡散させつつ、第２繊維層へ引き込むことができる。それにより、表面シートで平面方向に広く拡散された液状排泄物を、吸収体における平面方向に広い領域で吸収することができるので、吸収性能を高めることができる。
これにより表面シートの肌触りを良好にしつつ、吸収性能を向上させることができる。
【００１２】
本発明の吸収性物品は、（３）前記表面シートと前記吸収体との間に、前記第２繊維層の繊維密度よりも高い繊維密度を有する補助シートを更に備える、上記（２）に記載の吸収性物品、であってもよい。
本吸収性物品では、第２繊維層の繊維密度よりも高い繊維密度を有する補助シートを更に備えているので、第２繊維層に引き込まれた液状排泄物を、毛細管現象により、補助シートに安定的に移行させることができる。それにより、表面シートから補助シートを介して吸収体へ液状排泄物をより安定的に移行させることができ、よって表面シートの肌触りを良好にしつつ、吸収性能を向上させることができる。
【００１３】
本発明の吸収性物品は、（４）前記第２繊維層に含まれる前記疎水性繊維は、互いに熱融着している熱融着性繊維を含む、上記（１）乃至（３）のいずれか一項に記載の吸収性物品、であってもよい。
本吸収性物品では、第２繊維層において、熱融着性繊維同士が互いに熱融着していることで、第２繊維層の形状を安定的に保持することができる。それゆえ、第２繊維層に含まれる保水性繊維の平均繊維長が相対的に短くても、保水性繊維を疎水性繊維間に偏りなく安定的に保持することができる。それにより、第２繊維層に引き込まれた液状排泄物を偏りなく安定的に吸収体へ移行させることができ、吸収性能を向上させることができる。
【００１４】
本発明の吸収性物品は、（５）前記第２繊維層の前記熱融着性繊維の少なくとも一部は、前記第１繊維層の肌側の表面に露出している、上記（４）に記載の吸収性物品、であってもよい。
本吸収性物品では、第２繊維層の熱融着性繊維の一部が第１繊維層の表面に露出するように第１繊維層内に存在することにより、第１繊維層の保水性繊維を熱融着性繊維間に安定的に保持することができる。それにより、第１繊維層の繊維間の平均距離が相対的に長く、第１繊維層の強度が相対的に弱くてもへたることを抑制することができる。また、第１繊維層の保水性繊維を熱融着性繊維間に保持することにより、毛羽立ちを抑制することも可能となる。それらにより、第１繊維層の肌触りをよりよくすることができる。また、第２繊維層における保水性を有さない熱融着性繊維の一部が第１繊維層内に存在することにより、熱融着性繊維を介した第１繊維層から第２繊維層への液状排泄物の移行を促進することができる。それにより、液状排泄物を吸収体へ安定的に移行させることができる。
【００１５】
本発明の吸収性物品は、（６）前記吸収性物品の厚さ方向に、前記表面シートと前記吸収体とが圧縮された圧搾部を有し、前記第２繊維層の前記熱融着性繊維の少なくとも一部は、前記圧搾部の内側の表面に露出している、上記（４）又は（５）に記載の吸収性物品、であってもよい。
本吸収性物品では、第２繊維層の熱融着性繊維の一部が圧搾部の内側の表面に露出するように第１繊維層内に存在することにより、圧搾部内の第１繊維層の保水性繊維を熱融着性繊維間に安定的に保持することができる。それにより、圧搾部内の第１繊維層の強度が相対的に弱くてもへたることや毛羽立つことを抑制することができ、圧搾部内の第１繊維層の肌触りをよりよくすることができる。また、第２繊維層における保水性を有さない熱融着性繊維の一部が圧搾部内の第１繊維層内に存在することにより、熱融着性繊維を介した圧搾部内の第１繊維層から第２繊維層への液状排泄物の移行を促進することができる。それにより、液状排泄物を吸収体へより安定的に移行させることができる。
【００１６】
本発明の吸収性物品は、（７）前記圧搾部は、前記吸収性物品の厚さ方向の深さが浅い低密度部と、前記吸収性物品の厚さ方向の深さが深い高密度部と、を含み、前記第２繊維層の前記熱融着性繊維の少なくとも一部は、前記低密度部の表面に露出している、上記（６）に記載の吸収性物品、であってもよい。
本吸収性物品では、第２繊維層の熱融着性繊維の一部が低密度部の表面に露出するように第１繊維層内に存在することにより、低密度部内の第１繊維層の保水性繊維を熱融着性繊維間に安定的に保持することができる。それにより、低密度部内の第１繊維層の強度が相対的に弱くてもへたることや毛羽立つことを抑制することができ、低密度部内の第１繊維層の肌触りをよりよくすることができる。また、第２繊維層における保水性を有さない熱融着性繊維の一部が低密度部内の第１繊維層内に存在することにより、熱融着性繊維を介した低密度部内の第１繊維層から第２繊維層への液状排泄物の移行を促進することができる。それにより液状排泄物を最終的に吸収体へより安定的に移行させることができる。
【００１７】
本発明の吸収性物品は、（８）前記表面シートは、前記吸収性物品の長手方向に沿って延び、前記吸収性物品の幅方向に間隔を空けて位置する複数の凸部と、前記吸収性物品の長手方向に沿って延び、互いに隣接する凸部間に位置する複数の凹部と、を有し、前記表面シートにおいて、前記凸部の頂部の繊維密度をＳ１、前記凹部の底部の繊維密度をＳ２、及び、前記凸部の頂部と前記凹部の底部との間の領域の繊維密度をＳ３、としたとき、Ｓ１＜Ｓ３＜Ｓ２、である、上記（１）乃至（７）のいずれか一項に記載の吸収性物品、であってもよい。
本請求項８に係る吸収性物品では、表面シートにおいて、繊維密度が疎な凸部の頂部から、繊維密度が中位の凸部の頂部と凹部の底部との間の領域を介し、繊維密度が密な凹部の底部に向けて毛細管現象が働く。そのため、表面シートにおける最も肌側の表面（凸部の頂部又はその近傍）に排泄された液状排泄物を、表面シートにおける非肌側の表面の近傍に位置する凹部の底部へより引き込み易くできる。それにより、表面シートの肌側の表面から表面シートの非肌側の表面を介して吸収体へ液状排泄物をより安定的に移行させることができる。また、上記の繊維密度の勾配により、一旦吸収した液状排泄物をリウェットバックし難くすることができる。更に、凸部の繊維密度が低いので着用者は柔らかさを感じることができる。よって、表面シートの肌触りを良好にしつつ、吸収性能を向上させることができる。
【００１８】
本発明の吸収性物品は、（９）前記表面シートは、前記複数の凹部の各々において、前記吸収性物品の厚さ方向に、前記第１繊維層と前記第２繊維層とが圧縮された複数の窪み部を有する、上記（８）に記載の吸収性物品、であってもよい。
本吸収性物品では、複数の窪み部において、第１繊維層と第２繊維層とが圧搾されて互いに固定され、したがって、第１繊維層の保水性繊維が圧縮されている。それにより、保水性繊維の毛羽立ちを抑制でき、表面シートの肌触りを良好に維持することができる。
【００１９】
本発明の吸収性物品は、（１０）前記第２繊維層の前記疎水性繊維の平均繊維長は、前記第１繊維層及び第２繊維層の前記保水性繊維の平均繊維長よりも長い、上記（１）乃至（９）のいずれか一項に記載の吸収性物品、であってもよい。
本吸収性物品では、第２繊維層の疎水性繊維の平均繊維長が第１繊維層及び第２繊維層の保水性繊維の平均繊維長よりも長い。そのため、第２繊維層の疎水性繊維の少なくとも一部を第１繊維層内部に到達させることができる。それにより、第１繊維層の液状排泄物を、第２繊維層へより移行し易くすることができ、かつ、第２繊維層に移行した液状排泄物を吸収体へより移行し易くさせることができる。
【００２０】
本発明の吸収性物品は、（１１）前記表面シートに含まれる前記保水性繊維はセルロース系繊維であり、前記吸収体はセルロース系繊維（パルプ繊維を除く）を含み、前記表面シートに含まれる前記セルロース系繊維の一部は、前記吸収体に含まれる前記セルロース系繊維と接触している、上記（１）乃至（１０）のいずれか一項に記載の吸収性物品、であってもよい。
本吸収性物品では、液拡散性の高いセルロース系繊維が表面シートの第１繊維層から第２繊維層を介して吸収体まで連通している。そのため、セルロース系繊維による液状排泄物の液拡散を利用することで、表面シートから吸収体へ液状排泄物を直接拡散させることができる。それにより、吸収性能を高めることができる。
【００２１】
本発明の吸収性物品は、（１２）前記表面シートを構成する繊維は、前記表面シートの幅方向の両端部の方が、前記表面シートの幅方向の中央部よりも、前記表面シートの長手方向に配向している、上記（１）乃至（１１）のいずれか一項に記載の吸収性物品、であってもよい。
本吸収性物品では、表面シートの繊維配向が中央部の方がランダムであることで、液状排泄物を同心円上に満遍なく拡散させることができるとともに、繊維配向が両端部の方が長手方向に配向していることで、両端部に達した液状排泄物を長手方向に拡散させることができる。すなわち、吸収性物品を全体的に使用することができ、吸収性能を高められる。また、表面シートの両端部では、端縁から露出する繊維本数が少なくなるため、肌への摩擦が低減され、肌触りの低下を抑制できる。
【００２２】
本発明の吸収性物品は、（１３）前記表面シートに含まれる前記保水性繊維はコットンである、上記（１）乃至（１２）のいずれか一項に記載の吸収性物品、であってもよい。
本吸収性物品では、保水性繊維はコットンであるため、表面シートの肌触りをより良好にしつつ、吸収性能をより維持又は向上することができる。
【００２３】
本発明の吸収性物品は、（１４）前記表面シートと前記吸収体との間に位置する補助シートを更に備え、前記表面シートの前記幅方向の寸法は、前記補助シートの前記幅方向の寸法よりも小さい、上記（１）乃至（１３）のいずれか一項に記載の吸収性物品、であってもよい。
保水性繊維を多く含む表面シートの端縁が擦れると、その端縁から保水性繊維が解れて脱落し易い。そこで、本吸収性物品では、補助シートの幅方向の寸法が、保水性繊維を多く含む表面シートの幅方向の寸法よりも大きい。すなわち、平面視で、補助シートにおける、表面シートの幅方向の両端縁よりも外側に一対の延出部が形成されている。したがって、吸収性物品が着用者の大腿部から受ける力を、補助シートの幅方向の両端部の一対の延出部で受け止めることができ、表面シートの幅方向の両端縁と大腿部とを擦れ難くすることができる。それにより、表面シートの幅方向の両端縁が擦れて保水性繊維が表面シートの幅方向の両端縁から解れて脱落することを抑制でき、肌触りの低下を抑制できる。
【発明の効果】
【００２４】
本発明によれば、表面シートの肌触りを良好にしつつ、吸収性能を向上させることが可能な吸収性物品を提供できる。
【図面の簡単な説明】
【００２５】
【図１】実施形態に係る吸収性物品の構成例を示す平面図である。
【図２】図１のＩＩ−ＩＩ線に沿う断面図である。
【図３】実施形態に係る表面シートの構成例を示す平面図及び断面図である。
【図４】実施形態に係る吸収性物品の製造装置の構成例を示す模式図である。
【図５】実施形態に係る吸収性物品の製造方法を説明する断面図である。
【発明を実施するための形態】
【００２６】
実施形態に係る吸収性物品について生理用ナプキンを例に説明する。ただし本発明の吸収性物品の種類及び用途はその例に限定されるものではなく、本発明の主題の範囲を逸脱しない限り、他の吸収性物品に対しても適用可能である。他の吸収性物品としては、例えばパンティライナー、軽失禁パッド、使い捨ておむつが挙げられる。
【００２７】
（第１実施形態）
図１〜図２は実施形態に係る生理用ナプキン１の構成例を示す図である。図１は生理用ナプキン１を展開した状態を示す平面図であり、図２（ａ）は図１のＩＩ−ＩＩ線に沿った断面図であり、図２（ｂ）は図２（ａ）の部分拡大断面図である。本実施形態の生理用ナプキン１は、互いに直交する長手方向Ｌ、幅方向Ｗ及び厚さ方向Ｔを有する。図１に描かれた生理用ナプキン１では、図の上側及び下側をそれぞれ長手方向Ｌの前側及び後側とし、左側及び右側をそれぞれ幅方向Ｗの左側及び右側とし、紙面に対して手前側及び奥側をそれぞれ厚さ方向Ｔの上側及び下側とする。生理用ナプキン１は、幅方向Ｗの中心を通り長手方向Ｌに延びる長手方向中心線ＣＬ（仮想線）と、長手方向Ｌの中心を通り幅方向Ｗに延びる幅方向中心線ＣＷ（仮想線）とを有する。長手方向中心線ＣＬに向かう向き及び側をそれぞれ幅方向Ｗの内向き及び内側とし、遠ざかる向き及び側をそれぞれ幅方向Ｗの外向き及び外側とする。一方、幅方向中心線ＣＷに向かう向き及び側をそれぞれ長手方向Ｌの内向き及び内側とし、遠ざかる向き及び側をそれぞれ長手方向Ｌの外向き及び外側とする。長手方向Ｌ及び幅方向Ｗを含む平面上に置いた生理用ナプキン１を厚さ方向Ｔの上側から見ることを「平面視」といい、平面視で把握される形状を「平面形状」という。長手方向Ｌ及び幅方向Ｗを含む平面内の任意の方向を「平面方向」という。上に置いた装着者が生理用ナプキン１を装着したとき、厚さ方向Ｔにて相対的に装着者の肌面に近い側及び遠い側となる側を「肌側」及び「非肌側」という。これら定義は、生理用ナプキン１の各資材にも共通に用いられる。
【００２８】
本実施形態において、生理用ナプキン１（ウイング部を除く）は、平面視にて、長手方向Ｌに長く幅方向Ｗに短い略矩形で、長手方向Ｌの両端縁が略半円形の形状を有する。ただし、その形状は、長手方向Ｌに長く幅方向Ｗに短ければ特に制限されず、例えば角丸長方形、楕円形、砂時計型又はそれらに類似の形状が挙げられる。生理用ナプキン１は略矩形の部分から幅方向Ｗの外側に延出するウイング部９を備えており、ウイング部９は略台形の形状を有する。ただし、ウイング部９の形状は、例えば半円形や半楕円形でもよい。
【００２９】
本実施形態において、生理用ナプキン１は、生理用ナプキン１の肌側の表面を構成する表面シート２と、生理用ナプキン１の非肌側の表面を構成する裏面シート３と、表面シート２と裏面シート３との間に配置された吸収体４と、を備えている。また、本実施形態では、生理用ナプキン１は、更に、補助シート５と、一対のサイドシート６、６と、を備えている。補助シート５は、表面シート２の非肌側に重なるように配置されている。一対のサイドシート６、６の各々は、補助シート５における非肌側の幅方向Ｗの両端部の各々に、幅方向Ｗの内側の端部が重なるように接合され、幅方向Ｗの外側に延出している。したがって、本実施形態では、表面シート２、補助シート５及び一対のサイドシート６、６と裏面シート３との間に吸収体４が位置している。ただし、裏面シート３の非肌側に外装シートを備えてもよい。
【００３０】
表面シート２は、液透過性のシートであり、第１繊維層２ａと第２繊維層２ｂとを備える。第１繊維層２ａの肌側の表面は、表面シート２の肌側の表面を構成している。第２繊維層２ｂは、第１繊維層２ａの非肌側に隣接している。本実施形態では、第２繊維層２ｂの非肌側の表面は、表面シート２の非肌側の表面を構成しており、したがって表面シート２は二層構造を有する。ただし、第２繊維層２ｂは、非肌側に、一又は複数の繊維層を含んでいてもよく、したがって表面シート２は全体として三層又は多層構造でもよい。
【００３１】
第１繊維層２ａは、保水性繊維を含んでいる。
保水性繊維は、水分を吸収し、保持する性質（保水性）を有する繊維であれば、特に制限されない。保水性繊維としては、例えば、セルロース系繊維が挙げられる。セルロース系繊維としては、セルロースを含む繊維であれば、特に制限はなく、例えば、天然セルロース繊維、再生セルロース繊維、精製セルロース繊維及び半合成セルロース繊維が挙げられる。天然セルロース繊維としては、植物繊維、例えば、種子毛繊維（例示：コットン）、じん皮繊維（例示：麻）、葉脈繊維（例示：マニラ麻）、果実繊維（例示：やし）が挙げられる。コットンとしては、例えば、ヒルスツム種コットン（例示：アップランドコットン）、バルバデンセ種コットン、アルボレウム種コットン及びヘルバケウム種コットンが挙げられる。また、コットンとしては、オーガニックコットン、プレオーガニックコットン（商標）でもよい。ただし、オーガニックコットンは、ＧＯＴＳ（Ｇｌｏｂａｌ  Ｏｒｇａｎｉｃ  Ｔｅｘｔｉｌｅ  Ｓｔａｎｄａｒｄ）の認証を受けたコットンを意味する。再生セルロース繊維としては、レーヨン、例えば、ビスコースから得られるビスコースレーヨン、ポリノジック及びモダール、セルロースの銅アンモニア塩溶液から得られる銅アンモニアレーヨン（「キュプラ」とも称される）等の繊維が挙げられる。精製セルロース繊維としては、リヨセル、具体的には、パルプを、Ｎ−メチルモルホリンＮ−オキシドの水溶液に溶解させて紡糸原液（ドープ）とし、Ｎ−メチルモルホリンＮ−オキシドの希薄溶液中に押出して繊維としたものが挙げられる。精製セルロースは、例えば、テンセル（商標）として市販されている。半合成セルロース繊維としては、半合成セルロース、例えば、アセテート繊維、例えば、トリアセテート及びジアセテート等の繊維が挙げられる。中でも、保水性及び肌触りの観点から、天然セルロース繊維が好ましく、コットンがより好ましく、ヒルスツム種コットンが更に好ましい。本実施形態では、保水性繊維としてはヒルスツム種コットンである（以下、単に「コットン」ともいう。）。
【００３２】
第２繊維層２ｂは、疎水性繊維と保水性繊維とを含んでいる。
疎水性繊維は、疎水性を有する繊維であれば、特に制限されない。疎水性繊維としては、例えば、熱可塑性樹脂繊維が挙げられる。熱可塑性樹脂繊維は、熱可塑性樹脂を含む繊維であれば、特に制限されない。熱可塑性樹脂としては、例えば、ポチエチレン（ＰＥ）、ポリプロピレン（ＰＰ）、エチレン−酢酸ビニル共重合体（ＥＶＡ）等のオレフィン系樹脂、ポリエチレンテレフタレート（ＰＥＴ）、ポリ乳酸（ＰＬＡ）等のポリエステル系樹脂、６−ナイロン等のポリアミド系樹脂などの公知の樹脂が挙げられ、これらの樹脂は単独で使用しても、二種類以上の樹脂を併用してもよい。また、このような熱可塑性樹脂からなる繊維の構造は、特に制限されず、例えば、芯鞘型繊維、サイド・バイ・サイド型繊維、島／海型繊維等の複合繊維；中空タイプの繊維；扁平、Ｙ字形、Ｃ字形等の異形断面型繊維；潜在捲縮又は顕在捲縮の立体捲縮繊維；水流、熱、エンボス加工等の物理的負荷により分割する分割繊維などが挙げられ、これらの構造を有する繊維は単独で使用しても、二種類以上の繊維を併用してもよい。本実施形態では、疎水性繊維としては、ＰＥＴ／ＰＥ芯鞘型複合繊維である。保水性繊維については第１繊維層２ａの保水性繊維と同様である。なお、「疎水性」とは、水と馴染み難い、又は、水分を保持し難い性質をいい、例えば、イオン交換水（例示：比抵抗値１０ＭΩ・ｃｍ）との接触角が８０°〜１００°程度となるものをいう。
【００３３】
第１繊維層２ａ及び第２繊維層２ｂでは、第１繊維層２ａを構成する繊維のうちの保水性繊維の割合が、第２繊維層２ｂを構成する繊維のうちの保水性繊維の割合よりも多い。それにより、少なくとも表面シート２の肌触りを良好にすることができる。更に、第１繊維層２ａ及び第２繊維層２ｂでは、第１繊維層２ａの保水性繊維の平均繊維長よりも、第２繊維層２ｂの保水性繊維の平均繊維長は短い。それにより、少なくとも第２繊維層２ｂを構成する繊維を互いにより接近させ、すなわち繊維間距離を短くして、毛細管現象をより強く生じさせて液状排泄物を強く引き込むことができる。具体的には、例えば以下に示すとおりである。
【００３４】
第１繊維層２ａを構成する繊維のうちの保水性繊維の割合は、表面シート２の肌触りを高める観点から、７０〜１００質量％が好ましく、８０〜１００質量％がより好ましく、９０〜１００質量％が更に好ましい。７０質量％以上にすることで、着用者が第１繊維層２ａを保水性繊維として認識し易くなるので、触り心地の良さを担保できる。第１繊維層２ａを構成する繊維のうちの保水性繊維以外の繊維は、液透過性を有する層を形成可能な繊維であれば特に制限されず、例えば熱可塑性樹脂繊維が挙げられる。本実施形態では保水性繊維の割合が１００質量％である。
【００３５】
第１繊維層２ａの保水性繊維の繊度は、特に制限されず、例えば０．８〜１５ｄｔｅｘが挙げられる。第１繊維層２ａの保水性繊維の繊維長は、例えば１０〜８０ｍｍが挙げられる。１０ｍｍ未満の場合、繊維長が短過ぎて繊維同士が交絡し難くなり、十分な強度が得られないおそれがある。８０ｍｍを超える場合、そのような繊維のいく本かが幅方向Ｗに延出して、着用者の大腿部の縁から他方の大腿部の縁まで繊維の架け渡しが生じる可能性があり、その場合、保水性繊維の液体の拡散効果により、生理用ナプキン１の幅方向Ｗの中央部に付着した液状排泄物が、両大腿部まで拡散し、着用者に不快感を与えるおそれがある。繊維長は、１５〜６０ｍｍが好ましく、２０〜４０ｍｍがより好ましい。それに対応して、第１繊維層２ａの保水性繊維の平均繊維長は、例えば１５〜５０ｍｍが挙げられ、２０〜４５ｍｍが好ましく、２５〜４０ｍｍがより好ましい。
【００３６】
なお、第１繊維層２ａにおける保水性繊維以外の繊維における緯度、繊維長、平均繊維長も、保水性繊維の肌触りに悪影響を与えない観点から、保水性繊維と同程度（０．５〜２倍の範囲内）が好ましい。ただし、本実施形態では保水性繊維以外の繊維は用いない。
【００３７】
第２繊維層２ｂを構成する繊維のうちの保水性繊維の割合は、第１繊維層２ａの保水性繊維の割合よりも少なければ、特に制限されない。保水性繊維の割合としては、例えば５０〜９０質量％が挙げられる。５０質量％未満の場合、厚さ方向に圧力がかかった状態での触り心地が低下するおそれがある。９０質量％を超える場合、疎水性繊維による毛羽を防止する効果が低下するおそれがある。保水性繊維の割合は、６０〜８５質量％が好ましく、７０〜８０質量％がより好ましい。それに対応して、第２繊維層２ｂにおける疎水性繊維の割合は、例えば１０〜５０質量％が挙げられ、１５〜４０質量％が好ましく、２０〜３０質量％がより好ましい。なお第２繊維層２ｂは保水性繊維及び疎水性繊維の他、第３の繊維を含んでもよい。
【００３８】
第２繊維層２ｂの保水性繊維の繊度は、特に制限されず、例えば０．８〜１５ｄｔｅｘが挙げられる。第２繊維層２ｂの保水性繊維の繊維長は、その平均繊維長が第１繊維層２ａの保水性繊維の平均繊維長よりも短ければ、特に制限されず、例えば３〜４０ｍｍが挙げられる。３ｍｍ未満の場合、繊維長が短過ぎて繊維同士が交絡し難くなり、十分な強度が得られない。４０ｍｍを超える場合、第２繊維層２ｂ製造中のウェブ状態における繊維の動的自由度が低く、保水性繊維が疎水性繊維の間の隙間に入り込むことができなくなり、その結果、第２繊維層２ｂでの繊維間距離を短くし難くなり、延いては繊維密度を高くし難くなる。第２繊維層２ｂの保水性繊維の繊維長としては、５〜３５ｍｍが好ましく、１０〜３５ｍｍがより好ましい。第２繊維層２ｂの保水性繊維の平均繊維長は、それに対応して、例えば５〜３０ｍｍが挙げられ、１０〜２５ｍｍが好ましく、１５〜２０ｍｍがより好ましい。
更に、繊維長が上記の範囲に入る保水性繊維であって、繊維長が長い保水性繊維及び繊維長が短い保水性繊維の少なくとも二種類を混合した混合保水性繊維を用いることもできる。その一例としては、繊維長が長い保水性繊維を例えば１５〜４０ｍｍ（好ましくは２０〜３５ｍｍ）の繊維長とし、繊維長が短い保水性繊維を例えば３〜２５ｍｍ（好ましくは５〜２０ｍｍ）の繊維長とすることができる。その場合、繊維長が長い保水性繊維で第２繊維層２ｂでの保水性や肌触りを高めつつ、繊維長が短い保水性繊維で第２繊維層２ｂの繊維間距離を高めることができる。
【００３９】
第２繊維層２ｂの疎水性繊維の緯度は、特に制限されず、例えば１．１〜８．８ｄｔｅｘが挙げられる。ただし、第２繊維層２ｂの疎水性繊維と第１繊維層２ａの主要な繊維である保水性繊維との絡み合いの容易性、すなわち第１繊維層２ａからの液状排泄物の移行の容易性や、第１繊維層２ａと第２繊維層２ｂとの間での剥離防止性の観点から、第２繊維層２ｂの疎水性繊維の緯度は、第１繊維層２ａの保水性繊維の繊度よりも小さい（細い繊維径である）ことが好ましい。
また、第２繊維層２ｂの疎水性繊維の繊維長は、特に制限されず、例えば１０〜８０ｍｍが挙げられる。ただし、第２繊維層２ｂの疎水性繊維と第１繊維層２ａの主要な繊維である保水性繊維との絡み合いの容易性、すなわち第１繊維層２ａからの液状排泄物の移行の容易性や、第１繊維層２ａと第２繊維層２ｂとの間の剥離防止性の観点から、第２繊維層２ｂの疎水性繊維の繊維長は、第１繊維層２ａ及び第２繊維層２ｂの保水性繊維の繊維長と比較して長いことが好ましい。第２繊維層２ｂの疎水性繊維の平均繊維長は、それに対応して、例えば、１５〜５０ｍｍが挙げられる。
【００４０】
第１繊維層２ａ及び第２繊維層２ｂの各々の厚さは、特に制限されず、例えば０．０５〜４ｍｍが挙げられ、０．１〜３ｍｍが好ましく、０．２〜２ｍｍがより好ましい。ただし、第１繊維層２ａの肌触りを良好にする観点、及び着用者の肌へのリウェットバックを抑制する観点から、第１繊維層２ａの厚さが相対的に厚く、第２繊維層２ｂの厚さが相対的に薄いことが好ましい。また、表面シート２の厚みは、特に制限されず、例えば０．１〜５ｍｍが挙げられ、０．４〜４ｍｍが好ましく、０．８〜３ｍｍがより好ましい。
【００４１】
ただし、繊維層のようなシートでの繊維の種類の割合は以下のようにして測定される。
すなわち、保水性繊維及び疎水性繊維をそれぞれ別の色で着色することで、繊維の種類の割合を測定する。（１）表面シート２を７０ｍｍ×７０ｍｍの大きさに切り出して試料とする。（２）試薬カヤステインＱ（ＫａｙａｓｔａｉｎＱ）（株式会社色染社）にて着色処理を行うことにより、保水性繊維のみ青色に染め、疎水性繊維のみ黄色に着色する。（３）株式会社キーエンス製のデジタルマイクロスコープＶＨＸ−１００にて、試料の肌側面（第１繊維層２ａ）から見たときの青色と黄色の割合を５０ｍｍ×５０ｍｍの範囲で測定することで、第１繊維層２ａにおける繊維の種類の割合とする。一方、非肌面（第２繊維層２ｂ）から見たときの青色と黄色の割合を５０ｍｍ×５０ｍｍの範囲で測定することで、第２繊維層２ｂにおける繊維の種類の割合とする。
【００４２】
また、繊維層のようなシートでの繊維間の距離は以下の測定方法に従って測定される。（１）表面シート２を１０ｍｍ×１０ｍｍの大きさに切り出して試料とする。（２）株式会社キーエンス製のデジタルマイクロスコープＶＨＸ−１００（レンズＶＨ−Ｚ２０Ｒ＋可変照明アタッチメントＶＨ−Ｋ２０）を使用して、撮影倍率：２００倍、測定面積：縦１３００μｍ×横１７３５μｍにて、表面シート２の表面（第１繊維層２ａ）、裏面（第２繊維層２ｂ）それぞれから画像を撮影する。そのとき、表面・裏面それぞれにつき、深さ０〜１００μｍの範囲で、深さ２０μｍ毎に合計五回、画像を撮影する。（３）得られた各画像から、繊維の存在しない部位の面積を求める。そのとき、得られた各画像における各画素での輝度が所定の輝度（閾値）よりも低いか高いかにより当該画素での繊維の有無を判定し、各画像での撮影領域内の繊維の有無を判定する。ただし、繊維が存在しない部位のみ光が透過して明るい、すなわち輝度が高くなる。それにより、撮影領域内の繊維の存在しない部位の面積を求める。（４）求めた繊維の存在しない部位の面積を撮影領域の面積（測定面積）から減算し、撮影領域の面積（測定面積）で除算することで、空隙率を算出する。その計算を深さ２０μｍ毎の画像で行い、五つの空隙率を算出する。（５）五つの空隙率の平均を算出することで、表面シート２の表面（第１繊維層２ａ）、裏面（第２繊維層２ｂ）それぞれの空隙率を決定する。空隙率の大小を比較することで、繊維間距離の大小を判断することができる。すなわち、空隙率が大きい場合、繊維間距離が大きいと見ることができる。例えば、表面シート２の表面、すなわち肌面側（第１繊維層２ａ：例えばＣｏｔｔｏｎ１００％の面）では空隙率２５．４％であり、裏面、すなわち非肌面側（第２繊維層２ｂ：例えばＣｏｔｔｏｎ６０％＋合繊繊維４０％の面）では空隙率２４．５％であった。
【００４３】
また、繊維層のようなシートの繊維の繊維長及び平均繊維長は、ＪＩＳ  Ｌ  １０１５：２０１０の附属書Ａの「Ａ７．１  繊維長の測定」の「Ａ７．１．１  Ａ法（標準法）目盛りが付いたガラス板上で個々の繊維の長さを測定する方法」に従って測定される。なお、上記方法は、１９８１年に発行されたＩＳＯ  ６９８９に相当する試験方法である。
【００４４】
また、繊維層のようなシートの坪量は以下の測定方法に従って測定される。一層分の繊維層を作製し、その繊維層を５ｃｍ×５ｃｍの大きさに切り出して試料とし、１００℃以上の雰囲気での乾燥処理後に質量を測定する。次いで、測定した質量を試料の面積で割り算して試料の坪量を算出する。１０個の試料の坪量を平均した値をシートの坪量とする。
【００４５】
また、繊維層のようなシートの厚さは以下の測定方法に従って測定される。株式会社キーエンス製のデジタルマイクロスコープＶＨＸ−１００を使用して、表面シート２の切断面に対して垂直の方向からの拡大画像を撮影する。拡大画像は、表面シート２の厚さ方向Ｔの全体が撮影可能となるような倍率に拡大された画像であり、拡大倍率は、例えば２０〜５０倍である。得られた３Ｄ画像から変換された２Ｄ画像において各繊維層の厚さを測定する。別々の３か所の切断面で測定した厚さの平均値を表面シート２の厚さとする。
【００４６】
上述されるように生理用ナプキン１では、表面シート２の肌側に位置する第１繊維層２ａにおける保水性繊維の割合が相対的に高いため、表面シート２の肌触りを良好にすることができる。また、第１繊維層２ａに含まれる保水性繊維の平均繊維長が相対的に長いため、平均繊維長が短過ぎて繊維同士の交絡が不足してしまい毛羽が発生するという事態を抑制でき、表面シート２の肌触りの低下を抑制できる。
そのとき、第１繊維層２ａに含まれる保水性繊維の平均繊維長よりも、第２繊維層２ｂに含まれる保水性繊維の平均繊維長が短いため、第２繊維層２ａを構成する繊維を互いにより接近させることができる。よって、第２繊維層２ｂの繊維間の平均距離を第１繊維層２ａの繊維間の平均距離と比較して短くできるので、第２繊維層２ｂにおいて毛細管現象をより強く生じさせることができ、第１繊維層２ａの肌側の表面に排泄された液状排泄物を第２繊維層２ｂへ素早く引き込むことができる。そして、第２繊維層２ｂに引き込まれた液状排泄物を、疎水性繊維により第２繊維層２ｂを介して吸収体４へ迅速に移行させることができる。
その際、第１繊維層２ａにおいて、平均繊維長が相対的に長い保水性繊維により液状排泄物を平面方向に広く拡散させつつ、第２繊維層２ｂへ引き込むことができる。それにより、表面シート２で平面方向に広く拡散された液状排泄物を、吸収体４における平面方向に広い領域で吸収することができるので、吸収性能を高めることができる。
これらにより、表面シート２の肌触りを良好にしつつ、生理用ナプキン１の吸収性能を向上できる。
【００４７】
なお、第２繊維層２ｂが、非肌側に、一又は複数の繊維層を含んでいる場合、すなわち表面シート２が全体として三層又は多層構造の場合、液透過性をより高める観点から、表面シート２の非肌側の表面に近い繊維層ほど、保水性繊維の割合が相対的に低く、かつ保水性繊維の平均繊維長が短いことが好ましい。
【００４８】
本実施形態では、第１繊維層２ａの繊維密度は、第２繊維層２ｂの繊維密度よりも小さい。すなわち、第１繊維層２ａから第２繊維層２ｂへ向かって繊維密度が高くなるように繊維密度の勾配が存在する。
そのような構成を有する生理用ナプキン１では、まず、着用時に表面シート２の肌側の表面、すなわち第１繊維層２ａの表面に排泄された液状排泄物を、第１繊維層２ａに引き込むことができる。その後、繊維密度の勾配により、第１繊維層２ａに引き込まれた液状排泄物が、第２繊維層２ｂに安定的に移行させることができる。それにより、保水性繊維を相対的に多く含む第１繊維層２ａから、保水性繊維を相対的に少なく含む第２繊維層２ｂを介して、第２繊維層２ｂの非肌側に接する層（例示：補助シート、吸収体４）へ液状排泄物を安定的に移行させることができる。よって、表面シート２の肌触りを良好にしつつ、吸収性能を向上させることができる。なお、生理用ナプキン１の表面シート２は、このような繊維密度の勾配を有さなくてもよい。
ただし、第２繊維層２ｂの非肌側の表面に、一又は複数の繊維層を更に備える場合、すなわち表面シート２が三層又は多層構造の場合には、表面シート２の非肌側の表面に近い繊維層ほど、繊維密度が相対的に高いことが好ましい。それにより、肌側の繊維層から非肌側の繊維層への液透過性をより高めることができ、補助シートや吸収体４へ液状排泄物をより安定的に移行させることができる。
【００４９】
ただし、第２繊維層２ｂが非肌側に、一又は複数の繊維層を含んでいる場合、すなわち表面シート２が全体として三層又は多層構造の場合には、表面シート２の非肌側の表面に近い繊維層ほど、繊維密度が相対的に高いことが好ましい。それにより、肌側の繊維層から非肌側の繊維層への液透過性をより高めることができ、補助シートや吸収体４へ液状排泄物をより安定的に移行させることができる。
【００５０】
なお、繊維層のようなシートの繊維密度は、例えば以下の測定方法で測定される。
（１）表面シート２を１０ｍｍ×１０ｍｍの大きさに切り出して試料とする。（２）試料の厚さ方向Ｔに平行な切断面を、走査電子顕微鏡（日本電子株式会社製：ＪＣＭ−５１００）を用いて、拡大観察する。倍率は、３０〜６０本の繊維の断面が一画面内に計測できる倍率（例示：１５０〜５００倍）とする。（３）観察領域を厚さ方向Ｔに肌面側の層、中間の層、非肌面側の層に三等分し、肌面側の層を第１繊維層２ａとし、非肌面側の層を第２繊維層２ｂとした上で、各繊維層における繊維の断面の数を測定する。すなわち、所定面積の切断面において、切断されている繊維の断面の数を数える。（４）得られた繊維の断面の数を１ｍｍ２当たりの繊維の断面の数に換算し、これを繊維密度（本／ｍｍ２）とする。測定は３ヶ所行い、測定値の平均値をその試料の繊維密度とする。すなわち、繊維密度として、繊維本数の密度を用いている。言い換えると、繊維密度として、厚さ方向Ｔに平行な断面における単位面積当たりの繊維の本数を用いている。なお、繊維密度として、単位体積当たりの繊維の本数を用いてもよい。単位体積当たりの繊維の本数は、例えばＸ線ＣＴによる解析で求めることができる。単位面積当たりの繊維密度と、単位体積当たりの繊維密度とでは、数値は異なるが、繊維層間での繊維密度の相対的な比較（例示：大小の比較）では同じになる。
【００５１】
本実施形態では、第２繊維層２ｂに含まれる疎水性繊維は、互いに熱融着している熱融着性繊維を含む。すなわち、疎水性繊維に含まれる熱融着性繊維は、熱融着性繊維同士が互いに接する箇所で熱融着により互いに接合した接合点（融着点）を有する。このような、互いに接合した熱融着性繊維は、第２繊維層２ｂ内で一種の熱可塑性樹脂繊維のマトリックスを形成すると見ることができる。
そのような構成を有する生理用ナプキン１では、第２繊維層２ｂにて、互いに熱融着した熱融着性繊維により、第２繊維層２ｂの形状を安定的に保持できる。それゆえ、第２繊維層２ｂに含まれる保水性繊維の平均繊維長が相対的に短くても、保水性繊維を熱融着性繊維間（のマトリックス内）に偏りなく安定的に保持できる。それにより、第２繊維層２ｂに引き込まれた液状排泄物を偏りなく安定的に吸収体４（及び補助シート５）へ移行させることができ、吸収性能を向上させることができる。なお、生理用ナプキン１の疎水性繊維は、このような互いに熱融着している熱融着性繊維を含まなくてもよい。
【００５２】
本実施形態では、第２繊維層２ｂの熱融着性繊維の少なくとも一部は、第１繊維層２ａの肌側の表面に露出している。すなわち、第２繊維層２ｂの熱融着性繊維は、第２繊維層２ｂの形状を安定的に保持しつつ、その少なくとも一部が第２繊維層２ｂから連続的に第１繊維層２ａに入り込み、更にそれらが第１繊維層２ａの肌側の表面にまで達している。
そのような構成を有する生理用ナプキン１では、第２繊維層２ｂの熱融着性繊維が第１繊維層２ａ内にまで連続的に延在することにより、第１繊維層２ａの保水性繊維を熱融着性繊維間に安定的に保持することができる。それにより、第１繊維層２ａの繊維間の平均距離が相対的に長く、第１繊維層２ａの強度が相対的に弱くてもへたることを抑制することができる。また、第１繊維層２ａの保水性繊維を熱融着性繊維間に保持することにより、毛羽立ちを抑制することも可能となる。それらにより、第１繊維層２ａの肌触りをよりよくすることができる。また、第２繊維層２ｂにおける保水性を有さない熱融着性繊維の一部が第１繊維層２ａ内に存在することで、熱融着性繊維を介した第１繊維層２ａから第２繊維層２ｂへの液状排泄物の移行を促進することができる。それにより、液状排泄物を吸収体４（及び補助シート５）へ安定的に移行させることができる。なお、生理用ナプキン１の第２繊維層２ｂの熱融着性繊維は、第１繊維層２ａの表面に露出しなくてもよい。
【００５３】
本実施形態では、表面シート２を構成する繊維は、表面シート２の幅方向Ｗの両端部の方が、表面シート２の幅方向Ｗの中央部よりも、表面シート２の長手方向Ｌに配向している。すなわち、幅方向Ｗにて、表面シート２では、中央部の繊維は長手方向Ｌの配向が相対的に小さく、両端部の繊維は長手方向Ｌの配向が相対的に大きい。
そのような構成の生理用ナプキン１では、表面シート２の繊維配向が中央部で比較的ランダムなため、液状排泄物を略同心円状に拡散させることができ、繊維配向が両端部で長手方向Ｌなため、両端部に達した液状排泄物を長手方向Ｌに拡散させることができる。すなわち、生理用ナプキン１を全体的に使用でき、吸収性能を高められる。また、表面シート２の幅方向Ｗの両端部では、端縁から露出する繊維本数が少なくなるため、肌への摩擦が低減され、肌触りの低下を抑制できる。なお、生理用ナプキン１の表面シート２の繊維配向は、幅方向Ｗの両端部で長手方向Ｌの配向が相対的に大きくなくてもよい。
【００５４】
生理用ナプキン１では、平面視で、長手方向Ｌの中央やや前方寄りで幅方向Ｗの中央に排泄口当接域ＸＡが設定される。排泄口当接域ＸＡは、生理用ナプキン１の着用時に、着用者の排泄口に対向又は当接する領域である。排泄口当接域ＸＡは、吸収性物品の種類や用途に応じて設定される。排泄口当接域ＸＡは、例えば長手方向Ｌにて吸収体４の中央やや前方寄りに、吸収体４の長手方向Ｌの全長の約１／４〜１／２の長さで、幅方向Ｗにて吸収体４の略中央に、吸収体４の幅方向Ｗの全長の約１／２〜１／３の幅で設定される。
【００５５】
本実施形態では、生理用ナプキン１は、排泄口当接域ＸＡの幅方向Ｗの両外側に連続的又は間欠的に位置する一対の圧搾部（圧搾溝）１２、１２を備える。本実施の形態では、生理用ナプキン１は、更に、一対の圧搾部１２、１２の長手方向Ｌの後方に一対の圧搾部（圧搾溝）１３、１３を備え、排泄口当接域ＸＡの長手方向Ｌの前方及び後方にそれぞれ圧搾部（圧搾溝）１１、１４を備え、排泄口当接域ＸＡ内に点状の複数の圧搾部１５を備える。それら圧搾部１１〜１５は、表面シート２及び吸収体４が厚さ方向Ｔに圧縮されて形成される。すなわち、表面シート２と補助シート５と吸収体４（肌側のコアラップ４ｂ及び吸収性コア４ａ）とが厚さ方向Ｔに圧搾されて形成される。そのとき、各圧搾部は、弱く圧搾されて、浅い位置に形成され、繊維密度が相対的に低い低密度部ＬＰＡと、強く圧搾されて、深い位置に形成され、繊維密度が相対的に高い高密度部ＨＰＡとを有する。ただし、「浅い」及び「深い」の基準は、表面シート２の肌側の表面とする。低密度部ＬＰＡ及び高密度部ＨＰＡは、各圧搾部における浅い位置の底部及び深い位置の底部、ということができる。圧搾部１１〜１５の低密度部ＬＰＡ及び高密度部ＨＰＡは、吸収性コア４ａ内に位置する。ただし、高密度部ＨＰは非肌側のコアラップ４ｂに達してもよい。なお、圧搾部１１〜１５の形状は任意である。なお、生理用ナプキン１は、圧搾部１１〜１５少なくとも一つを備えていなくてもよい。
【００５６】
本実施形態では、第２繊維層２ｂの熱融着性繊維の少なくとも一部は、圧搾部１１〜１５の少なくとも一つにおいて、その圧搾部の内側の表面に露出している。
そのような構成の生理用ナプキン１では、熱融着性繊維が圧搾部の内側の表面に露出するように第１繊維層２ａ内に存在することにより、圧搾部内においても第１繊維層２ａの保水性繊維を熱融着性繊維間に安定的に保持することができる。それにより、圧搾部内においても第１繊維層２ａの強度が相対的に弱くてもへたることや毛羽立つことを抑制することができ、圧搾部内の第１繊維層２ａの肌触りをよりよくすることができる。また、第２繊維層２ｂにおける保水性を有さない熱融着性繊維の一部が圧搾部内の第１繊維層２ａ内に存在することにより、熱融着性繊維を介した圧搾部内の第１繊維層２ａから第２繊維層２ｂへの液状排泄物の移行を促進することができる。それにより、液状排泄物を吸収体４（及び補助シート５）へより安定的に移行させることができる。なお、生理用ナプキン１は、熱融着性繊維が圧搾部の内側の表面に露出しなくてもよい。
【００５７】
本実施形態では、第２繊維層２ｂの熱融着性繊維の少なくとも一部は、圧搾部１１〜１５の少なくとも一つにおいて、その圧搾部の低密度部ＬＰＡの表面に露出している。
そのような構成の生理用ナプキン１では、熱融着性繊維が低密度部ＬＰＡの表面に露出するように第１繊維層２ａ内に存在することで、低密度部ＬＰＡ内の第１繊維層２ａの保水性繊維を熱融着性繊維間に安定的に保持できる。それにより、低密度部ＬＰＡ内の第１繊維層２ａの強度が相対的に弱くてもへたることや毛羽立つことを抑制でき、低密度部ＬＰＡ内の第１繊維層２ａの肌触りをよりよくすることができる。また、第２繊維層２ｂにおける保水性を有さない熱融着性繊維の一部が低密度部ＬＰＡ内の第１繊維層２ａ内に存在することで、熱融着性繊維を介した低密度部ＬＰＡ内の第１繊維層２ａから第２繊維層２ｂへの液状排泄物の移行を促進できる。それにより、液状排泄物を最終的に吸収体４（及び補助シート５）へより安定的に移行させることができる。なお、生理用ナプキン１は、熱融着性繊維が低密度部ＬＰＡの表面に露出しなくてもよい。
【００５８】
本実施形態では、表面シート２は凹凸構造を有する。図３は実施形態に係る表面シート２の構成例を示し、図３（ａ）は表面シート２の平面図であり、図３（ｂ）は図３（ａ）のＩＩｂ−ＩＩｂ線に沿う断面図である。第１繊維層２ａは厚さ方向Ｔの上側の第１上面２ａＥと下側の第１下面２ａＦとを有し、第２繊維層２ｂは厚さ方向Ｔの上側の第２上面２ｂＥと下側の第２下面２ｂＦとを有している。第１下面２ａＦと第２上面２ｂＥとは両繊維層間の仮想的な境界であるが、両繊維層の繊維の一部は交絡により互いに他の繊維層へ入り込んでいるため厳密な境界ではない。第１繊維層２ａは、第１上面２ａＥに、長手方向Ｌに沿って連続的に延び、幅方向Ｗに間隔を空けて位置する複数の凸部２１と、長手方向Ｌに沿って連続的に延び、互いに隣り合う凸部２１間に位置する複数の凹部２２と、を有する。本実施形態において、複数の凸部２１の各々は中実に形成されている。このように複数の凸部２１の各々が中実に形成されていることから、各凸部２１が潰れ難くなると共に、着用者の身体と接し易い各凸部２１から吸収体４への液体の移行性に優れるため、各凸部２１の表面のドライ性を高めることが出来る。
【００５９】
第２繊維層２ｂは、圧搾で形成される窪み部２３（後述）を除き略平坦な形状である。ただし、第２上面２ｂＥは凸部２１に対応する位置において厚さ方向Ｔの上向きにやや盛り上がっていてもよい。なお、第２繊維層２ｂは、第１繊維層２ａと同様に（ただし厚さ方向Ｔ逆向きに）、第２下面２ｂＦに、長手方向Ｌに沿って連続的に延び、幅方向Ｗに間隔を空けて位置する複数の凸部と、長手方向Ｌに沿って連続的に延び、互いに隣り合う凸部間に位置する複数の凹部と、を有してもよい。その場合、平面視で、第１繊維層２ａの凸部２１及び凹部２２の位置と、第２繊維層２ｂの凸部及び凹部の位置とは同じであることが好ましい。
【００６０】
第１繊維層２ａと第２繊維層２ｂとは、交絡により互いに接合されている。交絡方法としては、例えば、スパンレース法又はウォータージェット法が挙げられる。ただし、交絡方法はこの例に制限されず、他の交絡方法、例えばエアスルー法を用いてもよい。
【００６１】
本実施の形態では、凸部２１の頂部２１Ｔの繊維密度をＳ１、凹部２２の底部２２Ｂの繊維密度をＳ２、及び、凸部２１の頂部２１Ｔと凹部２２の底部２２Ｂとの間の領域ＭＰの繊維密度をＳ３、としたとき、Ｓ１＜Ｓ３＜Ｓ２、である。
そのような構成の生理用ナプキン１では、表面シートにおいて、疎な繊維密度Ｓ１を有する凸部２１の頂部２１Ｔから、中位の繊維密度Ｓ２を有する領域ＭＰを介し、密な繊維密度Ｓ３を有する凹部２２の底部２２Ｂに向けて毛細管現象が働く。そのため、表面シート２における最も肌側の表面（凸部２１の頂部２１Ｔ又はその近傍）に排泄された液状排泄物を、表面シート２における非肌側の表面の近傍に位置する凹部２２の底部２２Ｂへより引き込み易くできる。それにより、表面シート２の肌側の表面から表面シート２の非肌側の表面を介して吸収体４（及び補助シート５）へ液状排泄物をより安定的に移行させることができる。また、上記の繊維密度の勾配（Ｓ１＜Ｓ３＜Ｓ２）により、一旦吸収した液状排泄物をリウェットバックし難くすることができる。更に、凸部２１の繊維密度が低いので着用者は柔らかさを感じることができる。よって、表面シートの肌触りを良好にしつつ、吸収性能を向上させることができる。なお、生理用ナプキン１は、表面シート２に上記の凹凸構造を有していなくてもよく、上記の繊維密度勾配を有さなくてもよい。
【００６２】
本実施形態では、表面シート２は、複数の凹部２２の各々において、厚さ方向Ｔに、第１繊維層２ａと第２繊維層２ｂとが圧縮された複数の窪み部２３を有する。複数の窪み部２３は、各凹部２２において長手方向Ｌに沿って間欠的に、かつ、等間隔、又は、非等間隔に配置される。窪み部２３は、幅方向Ｗに隣り合う凹部２２において、長手方向Ｌに同じ位置でもよいし、同じ位置でなくてもよい。本実施形態では、凹部２２に関して市松模様状に配置される。また、窪み部２３の平面視の形状は楕円状など任意である。
そのような構成の生理用ナプキン１では、複数の窪み部２３において、厚さ方向Ｔに、第１繊維層２と第２繊維層２ｂとが圧搾により固定され、したがって、第１繊維層の保水性繊維が圧縮されている。それにより、保水性繊維の毛羽立ちを抑制でき、表面シートの肌触りを良好に維持することができる。なお、生理用ナプキン１は、表面シート２に窪み部２３を備えなくてもよい。
【００６３】
本実施形態では、補助シート５は、液透過性のシートである。補助シート５としては、例えば、液透過性の不織布や織布、これらの複合シートが挙げられる。補助シート５は、表面シート２と比べて幅方向Ｗにやや大きい形状を有する。補助シート５は、幅方向Ｗの両端部に一対のループ部５Ｌ、５Ｌを有する。一対のループ部５Ｌ、５Ｌは、補助シート５における幅方向Ｗの両側部が、それぞれ補助シート５の幅方向Ｗの内側かつ非肌側（厚さ方向Ｔの下側）にループ状に折り返されることで形成される。折り返された補助シート５の両側部の端部は、一対のサイドシート６、６の向かい合う一対の内側端部に、長手方向Ｌに沿って間欠的又は連続的に延びる一対の接着部（図示されず）で互いに接合される。なお、ループ部５Ｌは弾性部材を含んでいない。また、折り返された補助シート５の両側部の端部は、補助シート５の非肌側の表面に、長手方向Ｌに沿って間欠的又は連続的に延びる一対の接着部で互いに接合される。
【００６４】
本実施形態の保水性繊維を多く含む表面シート２では、その端縁が擦れると、その端縁から保水性繊維が解れて脱落し易い。ここで、本実施形態では、補助シート５の幅方向Ｗの寸法が、表面シート２の幅方向Ｗの寸法よりも大きい。すなわち、平面視で、補助シート５における、表面シート２の幅方向Ｗの両端縁よりも外側の部分が幅方向Ｗの外側に延出して、一対の延出部を形成している。本実施形態では、その一対の延出部として、補助シート５の幅方向Ｗの両端部に一対のループ部５Ｌ、５Ｌが形成されている。それにより、生理用ナプキン１が着用者の大腿部から受ける力を一対のループ部５Ｌ、５Ｌ（一対の延出部）で受け止めることができ、表面シート２の幅方向Ｗの両端縁と大腿部とを擦れ難くすることができる。それにより、表面シート２の幅方向Ｗの両端縁が擦れて保水性繊維が表面シート２の幅方向Ｗの両端縁から解れて脱落することを抑制でき、肌触りの低下を抑制できる。特に、一対の延出部として一対のループ部５Ｌ、５Ｌを用いる場合には、生理用ナプキン１が着用者の大腿部から受ける力を、一対のループ部５Ｌ、５Ｌのクッション作用で柔らかく受け止めることができ、着用者の感じる肌触りをより良好にすることができる。特に、保水性繊維がコットンの場合、それらの効果は顕著である。
【００６５】
本実施形態では、補助シート５は、第２繊維層２ｂの繊維密度よりも高い繊維密度を有する。そのような構成の生理用ナプキン１では、第２繊維層２ｂに引き込まれた液状排泄物を、毛細管現象により、補助シート５により安定的に移行させることができる。それにより、表面シート２から補助シート５を介して吸収体４へ液状排泄物をより安定的に移行させることができ、表面シート２の肌触りを良好にしつつ、吸収性能を向上させることができる。また、第１繊維層２ａの繊維密度＜第２繊維層２ｂの繊維密度＜補助シート５の繊維密度、となっている場合には、毛細管現象により、液状排泄物を補助シート５に更により安定的に移行させることができ、好ましい。なお、生理用ナプキン１は補助シート５又はループ部５Ｌを備えなくてもよい。
【００６６】
本実施形態では、補助シート５は、表面シート２に対応して保水性繊維を含み、表面シート２がセルロース系繊維（好ましくはコットン）を含む場合には、セルロース系繊維（好ましくはコットン）を含むことが好ましい。そのような構成の生理用ナプキン１では、液拡散性の高い保水性繊維、好ましくはセルロース系繊維、更に好ましくはコットンが表面シート２の第１繊維層から第２繊維層を介して補助シート５まで連通している。そのため、それら繊維による液状排泄物の液拡散を利用することで、表面シート２から補助シート５を介して吸収体４へ液状排泄物をより安定的に移行させることができ、表面シート２の肌触りを良好にしつつ、吸収性能を向上させることができる。なお、生理用ナプキン１は、補助シート５が保水性繊維、セルロース系繊維又はコットンを含まなくてもよい。その場合、補助シート５としては、例えば疎水性繊維の不織布が挙げられ、中でも熱可塑性樹脂繊維の不織布が公的に用いられる。
【００６７】
吸収体４は、液吸収性能及び液保持性能を有する層であり、本実施形態では、平面視で長手方向Ｌに長く、長手方向Ｌの両端部が略半円形の形状を有する。本実施形態では、吸収体４は、吸収性コア４ａとそれを被覆するコアラップ４ｂとを含む。吸収性コア４ａとしては、例えば、パルプ繊維のような吸水性繊維を含む液保持性物質、高吸収性ポリマー（ＳＡＰ）のような吸水材が挙げられる。コアラップ４ｂとしては、例えば、ティッシュのような親水性不織布を含む液透過性のシートが挙げられる。
【００６８】
本実施形態では、表面シート２がセルロース系繊維（好ましくはコットン）を含む場合には、吸収体４は、表面シート２に対応してセルロース系繊維（好ましくはコットン）を含むことが好ましい。その場合、表面シート２に含まれるセルロース系繊維の一部は、吸収体４に含まれるセルロース系繊維と接触していることが好ましい。
そのような構成の生理用ナプキン１では、液拡散性の高いセルロース系繊維が表面シート２の第１繊維層２ａから第２繊維層２ｂを介して（場合によっては、補助シート５を介して）吸収体４まで連通している。そのため、セルロース系繊維による液状排泄物の液拡散を利用することで、表面シート２から吸収体４へ液状排泄物を直接拡散させることができる。それにより、吸収性能を高めることができる。なお、生理用ナプキン１は、吸収体４がセルロース系繊維又はコットンを含まなくてもよい。
【００６９】
本実施形態では、サイドシート６は撥水性のシートである。サイドシート６としては、例えば、撥水処理を施した不織布や通気性を有する合成樹脂フィルムが挙げられる。また、本実施形態では、裏面シート３は液不透過性のシートである。裏面シート３としては、例えば、液不透過性の不織布や合成樹脂フィルム、これらの複合シートが挙げられる。本実施形態では、ウイング部９は、サイドシート６及び裏面シート３で形成されている。
【００７０】
本実施形態の生理用ナプキン１では、表面シート２は補助シート５に接着剤（例示：ホットメルト接着剤）で接合され、補助シート５及び一対のサイドシート６、６における吸収体４に対向する部分は吸収体４に接着剤で接合される。一対のサイドシート６、６及び吸収体４における裏面シート３に対向する部分は裏面シート３に接着剤等で接合される。
【００７１】
本実施形態では、生理用ナプキン１は、更に、複数の粘着部７及び一対の粘着部８、８を備える。複数の粘着部７は、例えば略矩形状を有し、平面視で、吸収体４と重なるように裏面シート４の非肌側の面に配置され、長手方向Ｌに連続的に延び、幅方向Ｗに間欠的に並ぶ。一対の粘着部８、８は、例えば略矩形状を有し、平面視で、一対のウイング部９、９と重なるように裏面シート４の非肌側の面に配置され、長手方向Ｌに連続的に延びている。粘着部７、８としては、例えばホットメルト接着剤が挙げられる。
【００７２】
次に、本実施の形態に係る生理用ナプキン１の製造方法の一例につき説明する。
【００７３】
図４は生理用ナプキン１の製造装置３００の構成例を示す模式図である。また、図５は生理用ナプキン１の製造方法を模式的に説明する図である。製造装置３００は、シート等の資材や半製品の搬送に関し、搬送方向ＭＤ、横断方向ＣＤ、及び上下方向ＴＤを有する。本実施形態では、資材や半製品の長手方向、幅方向及び厚さ方向はいずれも搬送方向ＭＤ、横断方向ＣＤ及び上下方向ＴＤと同じである。
【００７４】
まず、第１カード機１１０により、第２繊維層２ｂに対応する第２繊維ウェブＰ１１が形成される。第１カード機１１０は、繊維ウェブの形成に一般的に用いられるシングルカード又はダブルカードを使用した乾式のローラーカードである。第２繊維ウェブＰ１１は保水性繊維及び疎水性繊維を含んでいる。第２繊維ウェブＰ１１は搬送装置（図示されず）により搬送方向ＭＤに搬送される。
次に、第２カード機１２０により、第１繊維層２ａに対応する第１繊維ウェブＰ１２が形成される。第２カード機１２０も第１カード機１１０と同様の乾式のローラーカードである。第１繊維ウェブＰ１２は保水性繊維を含んでいる。第１繊維ウェブＰ１２は、搬送装置で搬送中の第２繊維ウェブＰ１１上に積層される。それにより、第１繊維ウェブＰ１２と第２繊維ウェブＰ１１とが積層された二層構造の複合繊維ウェブＰ１３が形成され、搬送装置により搬送方向ＭＤに搬送される。なお、各繊維ウェブにおける各繊維の比率は各カード機に供給する原料繊維の比率で制御可能である。
【００７５】
次に、二層構造を有する複合繊維ウェブＰ１３は、ウォータージェット処理機１３０によりウォータージェット処理を施され、繊維どうしを交絡される。それにより、第１連続シート（スパンレース不織布）Ｐ１４が形成される。ここで、ウォータージェット処理は、複合繊維ウェブＰ１３を連続して移動するメッシュベルト上に載せ、複合繊維ウェブＰ１３の上面側から高圧ジェット水流を噴射させて繊維どうしを交絡させるものである。ウォータージェット処理によって得られる第１連続シートＰ１４の性質は、各繊維ウェブの質量、噴射ノズルの孔径、噴射ノズルの孔数（ピッチ）、繊維ウェッブの通過速度等によって適宜調整、変更することができる。その後、ウォータージェット処理機１３０を通過した第１連続シートＰ１４は、乾燥機１４０により乾燥される。乾燥された第１連続シートＰ１５は、搬送装置により搬送方向ＭＤに搬送される。
【００７６】
なお、各繊維層に対応する繊維ウェブの形成方法は、上述の方法に限定されず、例えば、湿式法などを採用してもよい。また、ウェブの結合方法は、上述の方法に限定されず、例えば、水流交絡法やニードルパンチ法などを採用してもよい。また、第１連続シートＰ１５は、生理用ナプキン１の製造工場とは別の製造工場で製造されて、ロールに巻き取られた後、ロールの状態で生理用ナプキン１の製造工場に供給されてもよい。
【００７７】
次に、搬送装置（図示されず）により搬送された又はロール（図示されず）から巻き戻された第１連続シートＰ１５である第１連続シートＰ１６は、搬送方向ＭＤに搬送されつつ、賦形装置２１０に供給される。ここで、賦形装置２１０は、外周面に、周方向に延設され、互いに噛み合う凹凸部を有する賦形ロール２１０ａ、２１０ｂを備える。そして、第１連続シートＰ１６は、賦形ロール２１０ａ、２１０ｂの凹凸部に挟持されて、搬送方向ＭＤに延びる凹凸構造を賦形される。その後、第１連続シートＰ１６は搬送方向ＭＤに搬送される。それにより、表面シート２用の連続表面シートＰ１６が形成される。
【００７８】
次に、資材ロールＷＲ３から巻き戻された、補助シート５用の連続補助シートＡＳが、搬送方向ＭＤに搬送されつつ、加熱装置２２０に供給される。次いで、連続補助シートＡＳは、熱処理を施されて嵩回復された後、塗布装置３０２に供給される。そして、連続補助シートＡＳは、一方の面に接着剤（例示：ホットメルト接着剤）を所定のパターン（例示：スパイラルパターン）で塗布される。その後、連続補助シートＡＳと連続表面シートＰ１６とが、搬送方向ＭＤに搬送されつつ、接合装置２３０に供給され、接合装置２３０の一対の接合ロール２３０ａ、２３０ｂ間に狭持され、接合される。それにより、図５（ａ）に示すように、連続表面シートＰ１７が形成される。
【００７９】
次に、連続表面シートＰ１７は、搬送方向ＭＤに搬送されつつ、塗布装置３０３に供給される。そして、連続表面シートＰ１７は、連続表面シートＰ１７（の連続補助シートＡＳ）の上下方向ＴＤの下方の面かつ横断方向ＣＤの端部において、搬送方向ＭＤに沿って接着剤（例示：ホットメルト接着剤）を所定のパターンで塗布される。次いで、連続表面シートＰ１７は、搬送方向ＭＤに搬送されつつ、ループ形成装置２４０に供給される。そして、連続表面シートＰ１７の連続補助シートＡＳにおける横断方向ＣＤの両端部分が、ループ形成装置２４０のセーラーのような折り畳み治具により中央部分に向かってループ状に折り返される。その結果、連続表面シートＰ１７の横断方向ＣＤの両側に、一対のループ部５Ｌ、５Ｌに対応する一対の側部ＡＳＬ、ＡＳＬが形成される。それにより、図５（ｂ）に示すように、連続表面シートＰ１８が形成される。
【００８０】
次に、資材ロールＷＲ４から巻き戻された、サイドシート６用の連続サイドシートＳＳが、搬送方向ＭＤに搬送されつつ、切断装置２５０に供給される。そして、連続サイドシートＳＳは、横断方向ＣＤの中心の位置で、搬送方向ＭＤに沿って横断方向ＣＤに二等分に切断され、横断方向ＣＤに隣り合う一対の連続サイドシートＳＳａ、ＳＳｂが形成される。その後、一対の連続サイドシートＳＳａ、ＳＳｂが一対の塗布装置３０３ａ、３０３ｂに供給される。そして、一対の連続サイドシートＳＳａ、ＳＳｂの各々は、横断方向ＣＤの内側の端部に接着剤（例示：ホットメルト接着剤）を所定パターン（例示：ストライプパターン）で塗布される。次いで、一対の連続サイドシートＳＳａ、ＳＳｂと連続表面シートＰ８とが、搬送方向ＭＤに搬送されつつ、接合装置２６０に供給され、接合装置２６０の一対の接合ロール２６０ａ、２６０ｂ間に狭持され、接合される。それにより、連続表面シートＰ１８における一対の側部ＡＳＬ、ＡＳＬと一対の連続サイドシートＳＳａ、ＳＳｂとがそれぞれ接合される。それにより、図５（ｃ）に示すように、連続表面シートＰ２が形成される。
【００８１】
次に、連続表面シートＰ２が、塗布装置３０５に供給され、一対の連続サイドシートＳＳａ、ＳＳｂに近い側の面に、接着剤（例示：ホットメルト接着剤）を所定のパターンで塗布される。次いで、連続表面シートＰ２と、所定の間隔で搬送方向ＭＤに並んだ吸収体Ｐ３とが、搬送方向ＭＤに搬送されつつ、接合装置２７０に供給される。そして、連続表面シートＰ２と吸収体Ｐ３とが、接合装置２７０の一対の接合ロール２７０ａ、２７０ｂ間に狭持されて、接合される。それにより、半製品Ｐ４が形成される。続いて、半製品Ｐ４は、搬送方向ＭＤに搬送されつつ、圧搾装置２８０に供給される。圧搾装置２８０では、圧搾用の凸部を外周面に有するエンボスロール２８０ａと、アンビルロール２８０ｂとが対面配置されている。そして、半製品Ｐ４は、エンボスロール２８０ａとアンビルロール２８０ｂとの間に狭持され、圧搾される。その結果、上下方向ＴＤに連続表面シートＰ２から吸収体Ｐ３まで延びる圧搾部１１〜１５が形成され、それにより、半製品Ｐ５が形成される。なお、各圧搾部は互い異なる圧搾装置で圧搾されてもよい。次いで、第４の資材ロールＷＲ４から裏面シート３用の連続裏面シートＢＳが、搬送方向ＭＤに搬送されつつ、接合装置２９０に供給される。連続裏面シートＢＳの一方の面には塗布装置３０６により接着剤（例示：ホットメルト接着剤）が塗布されている。一方、半製品Ｐ５が、搬送方向ＭＤに搬送されつつ、接合装置２９０に供給される。そして、連続裏面シートＢＳと半製品Ｐ５とが、接合装置２９０の一対の接合ロール２９０ａ、２９０ｂ間に狭持されて、接合される。それにより、図５（ｄ）に示すように、連続裏面シートＢＳと半製品Ｐ５とが上下方向ＴＤに積層された半製品Ｐ６が形成される。その後、半製品Ｐ６に粘着剤付きの剥離シートＣＴ（粘着部７、８）が接合され、剥離シートＣＴが接合された半製品Ｐ６の周囲部分が生理用ナプキン１の形状に切断され、生理用ナプキン１が形成される。
【００８２】
以上のようにして、生理用ナプキン１が製造される。
【００８３】
ただし、二層構造を有する複合繊維ウェブＰ１３を交絡する方法としては、エアスルー方式であってもよい。すなわち、複合繊維ウェブＰ１３を加熱装置に搬送し、加熱装置内で、加熱空気により複合繊維ウェブＰ１３の繊維同士を交絡させる方法である。
【００８４】
（第２実施形態）
以下、第２実施形態の生理用ナプキン１につき、第１実施形態の生理用ナプキン１との相違点につき主に説明する。本実施形態の生理用ナプキン１は、第１繊維層２ａの繊維密度が第２繊維層２ｂの繊維密度よりも小さい点で、第１実施形態の生理用ナプキン１と相違する。すなわち、本実施形態の生理用ナプキン１では、第１繊維層２ａから第２繊維層２ｂへ向かって繊維密度が高くなるように繊維密度の勾配が存在している。ここで、繊維密度は、繊維本数の密度とする。
【００８５】
そのような構成を有する生理用ナプキン１では、第２繊維層２ｂの繊維密度が第１繊維層２ａの繊維密度よりも高いので、第２繊維層２ｂを構成する繊維を互いにより接近させることができる。よって、第２繊維層２ｂの繊維間の平均距離を第１繊維層２ａの繊維間の平均距離と比較して短くできるので、第２繊維層２ｂにおいて毛細管現象をより強く生じさせることができ、着用時に表面シート２の肌側の表面、すなわち第１繊維層２ａの表面に排泄された液状排泄物を、第１繊維層２ａに引き込むことができる。そして、第２繊維層２ｂに引き込まれた液状排泄物を、疎水性繊維により第２繊維層２ｂを介して吸収体４へ迅速に移行させることができる。それにより、保水性繊維を相対的に多く含む第１繊維層２ａから、保水性繊維を相対的に少なく含む第２繊維層２ｂを介して、第２繊維層２ｂの非肌側に接する層（例示：補助シート、吸収体４）へ液状排泄物を安定的に移行させることができる。
その際、第１繊維層２ａにおいて、保水性繊維により液状排泄物を平面方向に広く拡散させつつ、第２繊維層２ｂへ引き込むことができる。それにより、表面シート２で平面方向に広く拡散された液状排泄物を、吸収体４における平面方向に広い領域で吸収することができるので、吸収性能を高めることができる。
よって、表面シート２の肌触りを良好にしつつ、吸収性能を向上させることができる。
【００８６】
なお、本実施形態では、第１実施形態と同様に第２繊維層２ｂの保水性繊維の平均繊維長が第１繊維層２ａの保水性繊維の平均繊維長よりも短くてもよいが、逆に短くなくてもよい。短い場合には、第１実施形態において第１繊維層２ａの繊維密度が第２繊維層２ｂの繊維密度よりも小さい場合と同様の効果を奏することができる。
【００８７】
一方、短くない場合には、第２繊維層２ｂの保水性繊維の繊維長は、特に制限されず、例えば第１繊維層２ａの場合と同様の値を取ることができ、例えば１０〜８０ｍｍが挙げられる。
【００８８】
本発明の吸収性物品は、上述した各実施形態に制限されることなく、本発明の目的、趣旨を逸脱しない範囲内において、適宜組合せや変更等が可能である。
【符号の説明】
【００８９】
１    生理用ナプキン（吸収性物品）
２    表面シート
２ａ    第１繊維層
２ｂ    第２繊維層
【図１】
2020039842.tif 000003
【図２】
2020039842.tif 000004
【図３】
2020039842.tif 000005
【図４】
2020039842.tif 000006
【図５】
2020039842.tif 000007